(57)【要約】【課題】ペットボルトを容易に包み込むことができ、かつ、包み込んだ状態に保持することができるタオルハンカチを提供すること。【解決手段】布地２の一端部２ａに、係止手段の一方としてボタン５を配設し、係止手段の他方として環状のゴム紐３を配設したタオルハンカチ１とした。【選択図】  図２
0003137526.tif 000002
【実用新案登録請求の範囲】
【請求項１】
布地の一端部に、係止手段の一方および紐を配設し、該紐の先端に係止手段の他方を配設したことを特徴とする、タオルハンカチ。
【請求項２】
前記紐を、弾性部材で形成したことを特徴とする、請求項１に記載のタオルハンカチ。
【請求項３】
前記係止手段の他方を、前記紐を環状に形成することによって構成し、前記係止手段の一方を、ボタンを装着することによって構成したことを特徴とする、請求項１または２に記載のタオルハンカチ。
【請求項４】
前記布地が、矩形状に形成されていることを特徴とする、請求項１〜３のいずれかに記載のタオルハンカチ。
【請求項５】
前記紐の基端を覆うようにして、前記布地の端部に当て布を配設したことを特徴とする、請求項１〜４のいずれかに記載のタオルハンカチ。
【請求項６】
前記当て布に、文字あるいは画を表示したことを特徴とする、請求項１〜５のいずれかに記載のタオルハンカチ。
【考案の詳細な説明】
【技術分野】
【０００１】
本考案は、タオルハンカチに関するもので、特に、飲料入りペットボトル等を包み込むのに適したタオルハンカチに関するものである。
【背景技術】
【０００２】
近年、飲料入りペットボトルを持ち歩く人が多くなっている。このペットボトルの購買直後は、冷えているため、素手で持つのは冷たい。また、飲料入りペットボトルをバッグ内に入れた場合には、露結するため、他の収容物を濡らしてしまうおそれがある。
【０００３】
そこで、このような問題は、ペットボトルをタオル等で包んでそのまま、または、バッグに入れて持ち歩くようにすれば解決できるが、この場合には、ペットボトルを単にタオル等で包んだ場合には、手から離すと、タオルがペットボトルから剥がれ落ちるおそれがある。
【考案の開示】
【考案が解決しようとする課題】
【０００４】
本考案は、上記した実情に鑑みて成されたものであって、ペットボルトを容易に包み込むことができ、かつ、包み込んだ状態に保持することができるタオルハンカチを提供することを最大の目的とする。
【課題を解決するための手段】
【０００５】
上記した目的を達成するため、請求項１のタオルハンカチは、布地の一端部に、係止手段の一方および紐を配設し、該紐の先端に係止手段の他方を配設したことを特徴とする。  この本考案において、上記タオルハンカチの布地の形状は、ペットボトルを包むことができる大きさならば、いずれの形状であってもよいが、汗拭き等の他の用途にも使用できるように、正四角形が好ましい。
また、上記紐の長さは、ペットボトルを包んだ状態で、紐の係止手段の一方を布地に配設した他の係止手段に係合させた場合に、緩むことなく包装体にフィットするように、その包装外径よりも短くすることが好ましい。
【０００６】
また、請求項２のタオルハンカチは、上記請求項１の考案において、上記紐を、弾性部材で形成したことを特徴とする。
この本考案において、上記弾性部材の材質としては、天然ゴム，合成ゴム等のゴムが好ましい。
【０００７】
また、請求項３のタオルハンカチは、上記請求項１または２の考案において、上記係止手段の他方を、上記紐を環状に形成することによって構成し、上記係止手段の一方を、ボタンを装着することによって構成したことを特徴とする。
【０００８】
また、請求項４のタオルハンカチは、上記請求項１〜３のいずれかの考案において、上記布地が、矩形状に形成されていることを特徴とする。
【０００９】
また、請求項５のタオルハンカチは、上記請求項１〜４のいずれかの考案において、上記紐の基端を覆うようにして、上記布地の端部に当て布を配設したことを特徴とする。
【００１０】
また、請求項６のタオルハンカチは、上記請求項１〜５のいずれかの考案において、上記当て布に、文字あるいは画を表示したことを特徴とする。
【考案の効果】
【００１１】
上記した請求項１の本考案に係るタオルハンカチによれば、ペットボトル等を包んだ後に、その周囲に紐を巻き、その紐に配設した係止手段の他方をタオルハンカチに配設した係止手段の一方に係合させることによって、タオルハンカチをペットボトルに包んだ形態を維持することができる。また、布地がタオル地によって形成されているので、水分を十分に吸収することができ、それに接触する他のものを濡らす虞がなく、さらに、断熱性を有するので、ペットボトルに巻いた場合には、該ペットボトル内の飲料の温度を維持することもできる。
また、このタオルハンカチを収納あるいは陳列する場合には、そのまま丸め、その周囲に紐を巻き、係止手段によって丸めた状態に維持させれば、引出し等に整然と収容あるいは陳列することができ、見栄えがよい。
さらに、紐を使ってこのタオルハンカチを吊るすことによって、手拭き等として利用し易いものとすることができる。
【００１２】
また、上記した請求項２の本考案に係るタオルハンカチによれば、紐が弾性部材により形成されているので、紐が緩むことなく、ペットボトル等を包んだ形態を確実に維持することができる。
【００１３】
また、上記した請求項３の本考案に係るタオルハンカチによれば、紐の環状部をボタンに掛けることによって容易に係合させることができ、また、このタオルハンカチの環状部をフック等に引っ掛けることによって保管することもできる。さらに、紐が弾性部材で形成されている場合には、紐が緩むことなく、ペットボトル等を包んだ形態を確実に維持することができる。
【００１４】
また、上記した請求項４の本考案に係るタオルハンカチによれば、矩形状に形成されているので、ペットボトルを包む用途のほか、汗拭き等の他の用途にも良好に使用することができる。
【００１５】
また、上記した請求項５の本考案に係るタオルハンカチによれば、当て布によって紐の基端を隠すことができるので、外観に優れたものとなる。また、該当て布に名前等を書くことができる。
【００１６】
また、上記した請求項６の本考案に係るタオルハンカチによれば、上記当て布に、印刷，刺繍等によって文字、あるいはキャラクタの画を描くことによって、商品価値を高めることができる。
【考案を実施するための最良の形態】
【００１７】
以下、上記した本考案に係るタオルハンカチの実施の形態を、図面を参照しながら詳細に説明する。
なお、図１および図２は、本考案に係るタオルハンカチを示した斜視図である。
【００１８】
このタオルハンカチ１は、タオル地（布地）２によって正方形に形成されている。そして、隅部の一箇所には、ゴム紐３の両基端が縫合等によって固定され、その基端が、布地２に縫合された当て布４によって覆われている。さらに、布地２の上記ゴム紐３が設けられた隅部の裏面には、図２に示すように、ボタン５が取り付けられている。
なお、この実施の形態では、ボタン５によって、一方の係止手段が構成され、ゴム紐３を環状に形成することによって、他方の係止手段が構成されている。
【００１９】
図３乃至図５は、このタオルハンカチ１で、飲料入りペットボトルＡを包み込む手順の一態様を示している。
【００２０】
先ず、図３に示すように、布地２におけるゴム紐３を備えた隅部２ａに隣合う隅部２ｂを、他の部分に重ね合わせるように折り込み、続いて、隅部２ａに隣合う他の隅部２ｃを、その上に重なるように折り込み、タオルハンカチ１を、ペットボトルＡの高さ程度の幅とする。
【００２１】
次いで、図４に示すように、折り込んだタオルハンカチ１の上に、ペットボトルＡを載置する。
【００２２】
続いて、ゴム紐３を設けた隅部２ａと対向する隅部２ｄを、ペットボトルＡに被せ、そのままペットボトルＡを、隅部２ａに向かって転がすことによって、図５に示すように、ペットボトルＡの周囲に布地２を巻き付け、ゴム紐３をボタン５に係合させる。
【００２３】
この状態では、布地２は、ゴム紐３によってペットボトルＡを包んだ状態に保持され、ペットボトルＡを、素手で持っても冷たくなく、また、ペットボトルＡを、バッグ内に入れて持ち歩いても、結露によってバッグ内の他の収容物を濡らすことがない。
【００２４】
また、上記したタオルハンカチ１は、図６に示すように、隅部に設けたゴム紐３を利用し、フックＢ等に引っ掻けることができ、手拭き等として利用し易いものとなる。さらに、そのまま丸め、図７に示すように、その周囲をゴム紐３によって止め、丸めた状態に維持させれば、引出し、陳列棚等に整然と収容あるいは陳列することができ、見栄えがよいものとなる。
【００２５】
以上、本考案に係るタオルハンカチの実施の形態を説明したが、本考案は、何ら既述の実施の形態に限定されるものではなく、実用新案登録請求の範囲に記載した本考案の技術的思想の範囲内において、種々の変形および変更が可能であることは当然である。
【００２６】
例えば、上記実施の形態では、タオルハンカチ１として、布地２を正方形に形成しているが、正方形に限ることなく、長方形、円形等の他の形状を採用することもでき、例えば、ペットボトルＡをより包み易いものとする観点から、図８に示すように、亀甲形状（隅部２ｂ，２ｃを切り取った形状）としてもよい。
【図面の簡単な説明】
【００２７】
【図１】本考案に係るタオルハンカチの一実施の形態を示した斜視図である。
【図２】図１に示した本考案に係るタオルハンカチの一隅部を折り返した状態を示した斜視図である。
【図３】図１に示したタオルハンカチで飲料入りペットボトルを包み込む第１手順を示した斜視図である。
【図４】図１に示したタオルハンカチで飲料入りペットボトルを包み込む第２手順を示した斜視図である。
【図５】図１に示したタオルハンカチで飲料入りペットボトルを包み込んだ最終形態を示した斜視図である。
【図６】図１に示した本考案に係るタオルハンカチの他の使用例を示した斜視図である。
【図７】図１に示した本考案に係るタオルハンカチのさらに他の使用例を示した斜視図である。
【図８】本考案に係るタオルハンカチの他の形状を示した斜視図である。
【符号の説明】
【００２８】
１    タオルハンカチ
２    タオル地（布地）
２ａ，２ｂ，２ｃ，２ｄ    隅部
３    ゴム紐（他方の係止手段）
４    当て布
５    ボタン（一方の係止手段）
Ａ    ペットボトル
Ｂ    フック
【図１】
0003137526.tif 000003
【図２】
0003137526.tif 000004
【図３】
0003137526.tif 000005
【図４】
0003137526.tif 000006
【図５】
0003137526.tif 000007
【図６】
0003137526.tif 000008
【図７】
0003137526.tif 000009
【図８】
0003137526.tif 000010
【手続補正書】
【提出日】平成19年10月12日(2007.10.12)
【手続補正１】
【補正対象書類名】図面
【補正対象項目名】図１
【補正方法】変更
【補正の内容】
【図１】
0003137526.tif 000011
【手続補正２】
【補正対象書類名】図面
【補正対象項目名】図３
【補正方法】変更
【補正の内容】
【図３】
0003137526.tif 000012
【手続補正３】
【補正対象書類名】図面
【補正対象項目名】図４
【補正方法】変更
【補正の内容】
【図４】
0003137526.tif 000013
【手続補正４】
【補正対象書類名】図面
【補正対象項目名】図６
【補正方法】変更
【補正の内容】
【図６】
0003137526.tif 000014
【手続補正５】
【補正対象書類名】図面
【補正対象項目名】図８
【補正方法】変更
【補正の内容】
【図８】
0003137526.tif 000015